(57)【要約】【課題】撮影実施者が撮影完了後に、速やかに撮影スポットを解放することができるようにすることを目的とする。【解決手段】端末装置は、端末装置であって、撮影実行要求を送信する第１の送信手段と、自己の端末装置の位置が取得不可区域外である場合には、前記撮影実行要求に対応して撮影された画像を受信し、自己の端末装置の位置が取得不可区域内である場合には、前記撮影実行要求に対応して撮影された画像を受信しない第１の受信手段とを有する。【選択図】図６
2019161593.tif 000002
【特許請求の範囲】
【請求項１】
端末装置であって、
撮影実行要求を送信する第１の送信手段と、
自己の端末装置の位置が取得不可区域外である場合には、前記撮影実行要求に対応して撮影された画像を受信し、自己の端末装置の位置が取得不可区域内である場合には、前記撮影実行要求に対応して撮影された画像を受信しない第１の受信手段と
を有することを特徴とする端末装置。
【請求項２】
自己の端末装置の位置を検出する検出手段と、
前記検出手段により検出された自己の端末装置の位置を送信する第２の送信手段とをさらに有することを特徴とする請求項１に記載の端末装置。
【請求項３】
前記第１の送信手段は、自己の端末装置の位置が撮影許可区域内である場合には、前記撮影実行要求を送信し、自己の端末装置の位置が撮影許可区域外である場合には、前記撮影実行要求を送信しないことを特徴とする請求項１に記載の端末装置。
【請求項４】
自己の端末装置の位置を検出する検出手段と、
前記検出手段により検出された自己の端末装置の位置が前記取得不可区域外である場合には、前記撮影実行要求に対応して撮影された画像の取得要求を送信し、前記検出手段により検出された自己の端末装置の位置が前記取得不可区域内である場合には、前記撮影実行要求に対応して撮影された画像の取得要求を送信しない第２の送信手段とをさらに有し、
前記第１の受信手段は、前記検出手段により検出された自己の端末装置の位置が前記取得不可区域外である場合には、前記取得要求に対応する画像を受信することを特徴とする請求項１または３に記載の端末装置。
【請求項５】
自己の端末装置の位置を検出する検出手段をさらに有し、
前記第１の送信手段は、前記検出手段により検出された自己の端末装置の位置が前記撮影許可区域内である場合には、前記撮影実行要求を送信し、前記検出手段により検出された自己の端末装置の位置が前記撮影許可区域外である場合には、前記撮影実行要求を送信しないことを特徴とする請求項３に記載の端末装置。
【請求項６】
管理装置であって、
端末装置から撮影実行要求を受信した場合には、撮影装置に撮影実行命令を送信する第１の送信手段と、
前記撮影実行命令に対応して撮影された画像を前記撮影装置から受信する第１の受信手段と、
前記端末装置の位置を前記端末装置から受信する第２の受信手段と、
前記端末装置の位置が取得不可区域外である場合には、前記撮影された画像を前記端末装置に送信し、前記端末装置の位置が取得不可区域内である場合には、前記撮影された画像を前記端末装置に送信しない第２の送信手段と
を有することを特徴とする管理装置。
【請求項７】
端末装置の制御方法であって、
撮影実行要求を送信する第１の送信ステップと、
自己の端末装置の位置が取得不可区域外である場合には、前記撮影実行要求に対応して撮影された画像を受信し、自己の端末装置の位置が取得不可区域内である場合には、前記撮影実行要求に対応して撮影された画像を受信しない第１の受信ステップと
を有することを特徴とする端末装置の制御方法。
【請求項８】
管理装置の制御方法であって、
端末装置から撮影実行要求を受信した場合には、撮影装置に撮影実行命令を送信する第１の送信ステップと、
前記撮影実行命令に対応して撮影された画像を前記撮影装置から受信する第１の受信ステップと、
前記端末装置の位置を前記端末装置から受信する第２の受信ステップと、
前記端末装置の位置が取得不可区域外である場合には、前記撮影された画像を前記端末装置に送信し、前記端末装置の位置が取得不可区域内である場合には、前記撮影された画像を前記端末装置に送信しない第２の送信ステップと
を有することを特徴とする管理装置の制御方法。
【請求項９】
コンピュータを、請求項１〜５のいずれか１項に記載された端末装置の各手段として機能させるためのプログラム。
【請求項１０】
コンピュータを、請求項６に記載された管理装置の各手段として機能させるためのプログラム。
【請求項１１】
撮影装置と、
端末装置と、
管理装置とを有する撮影システムであって、
前記端末装置は、
撮影実行要求を前記管理装置に送信する第１の送信手段と、
自己の端末装置の位置を検出する検出手段と、
前記検出手段により検出された自己の端末装置の位置を前記管理装置に送信する第２の送信手段と、
自己の端末装置の位置が取得不可区域外である場合には、前記撮影実行要求に対応して撮影された画像を前記管理装置から受信する第１の受信手段とを有し、
前記管理装置は、
前記端末装置から前記撮影実行要求を受信した場合には、前記撮影装置に撮影実行命令を送信する第３の送信手段と、
前記撮影実行命令に対応して撮影された画像を前記撮影装置から受信する第２の受信手段と、
前記端末装置の位置を前記端末装置から受信する第３の受信手段と、
前記端末装置の位置が取得不可区域外である場合には、前記撮影された画像を前記端末装置に送信し、前記端末装置の位置が取得不可区域内である場合には、前記撮影された画像を前記端末装置に送信しない第４の送信手段とを有し、
前記撮影装置は、前記管理装置から前記撮影実行命令を受信した場合には、画像の撮影を実行し、前記撮影した画像を前記管理装置に送信することを特徴とする撮影システム。
【請求項１２】
撮影装置と、
端末装置と、
管理装置とを有する撮影システムであって、
前記端末装置は、
撮影実行要求を前記管理装置に送信する第１の送信手段と、
自己の端末装置の位置を検出する検出手段と、
前記検出手段により検出された自己の端末装置の位置が取得不可区域外である場合には、前記撮影実行要求に対応して撮影された画像の取得要求を前記管理装置に送信し、前記検出手段により検出された自己の端末装置の位置が取得不可区域内である場合には、前記撮影実行要求に対応して撮影された画像の取得要求を送信しない第２の送信手段と、
前記取得要求に対応する画像を前記管理装置から受信する第１の受信手段とを有し、
前記管理装置は、
前記端末装置から前記撮影実行要求を受信した場合には、前記撮影装置に撮影実行命令を送信する第３の送信手段と、
前記撮影実行命令に対応して撮影された画像を前記撮影装置から受信する第２の受信手段と、
前記端末装置から前記画像の取得要求を受信した場合には、前記撮影された画像を前記端末装置に送信する第４の送信手段とを有し、
前記撮影装置は、前記管理装置から前記撮影実行命令を受信した場合には、画像の撮影を実行し、前記撮影した画像を前記管理装置に送信することを特徴とする撮影システム。
【請求項１３】
前記管理装置は、前記取得不可区域の情報を前記端末装置に送信する第５の送信手段をさらに有することを特徴とする請求項１２に記載の撮影システム。
【請求項１４】
前記端末装置の前記第１の送信手段は、前記検出手段により検出された自己の端末装置の位置が撮影許可区域内である場合には、前記撮影実行要求を前記管理装置に送信し、前記検出手段により検出された自己の端末装置の位置が撮影許可区域外である場合には、前記撮影実行要求を送信しないことを特徴とする請求項１２に記載の撮影システム。
【請求項１５】
前記管理装置は、前記取得不可区域および前記撮影許可区域の情報を前記端末装置に送信する第５の送信手段をさらに有することを特徴とする請求項１４に記載の撮影システム。
【発明の詳細な説明】
【技術分野】
【０００１】
本発明は、端末装置、管理装置、端末装置の制御方法、管理装置の制御方法、プログラムおよび撮影システムに関する。
【背景技術】
【０００２】
テーマパークや旅先で写真撮影したいが、カメラがかさばるのでハンズフリーで出かけたいという課題がある。また、グループ行動で写真撮影を行うとき、撮影者が写真に写ることができないという課題がある。また、三脚撮影による撮影は、撮影アングルに限界があるという課題がある。そこで、特許文献１には、公共設置されたカメラ（以下公共カメラと記す）をシェアして撮影するシステムが開示されている。
【０００３】
そのシステムでは、複数のユーザが公共カメラを共有するため、撮影後に速やかに撮影スポットと公共カメラの使用権を次のユーザに譲るのが好ましい。しかし、撮影した画像をその場でユーザ端末が取得可能である場合、撮影後、撮影スポットにて撮影した画像を閲覧する行為により、ユーザが撮影スポットに留まってしまうことがしばしばある。そこで、特許文献２には、特定エリア内では、撮影は可能だが、撮影データの取得に制限をかける方法が開示されている。
【先行技術文献】
【特許文献】
【０００４】
【特許文献１】特開２０１６−９６５３０号公報
【特許文献２】特許第４４７８３８０号公報
【発明の概要】
【発明が解決しようとする課題】
【０００５】
しかしながら、特定の区域内で、撮影したデータの取得そのものに制限がかけられてしまい、ユーザが特定区域を脱したとしても、撮影データは記憶されておらず、取得が不能状態となってしまう。一方、制限を解放してしまうと、撮影後、撮影データを取得したユーザが撮影エリアに留まり、次のユーザの撮影が妨げられる原因となる。
【０００６】
本発明は、撮影実施者が撮影完了後に、速やかに撮影スポットを解放することができるようにすることを目的とする。
【課題を解決するための手段】
【０００７】
本発明の端末装置は、端末装置であって、撮影実行要求を送信する第１の送信手段と、自己の端末装置の位置が取得不可区域外である場合には、前記撮影実行要求に対応して撮影された画像を受信し、自己の端末装置の位置が取得不可区域内である場合には、前記撮影実行要求に対応して撮影された画像を受信しない第１の受信手段とを有する。
【発明の効果】
【０００８】
本発明によれば、撮影実施者が撮影完了後に、速やかに撮影スポットを解放することができる。
【図面の簡単な説明】
【０００９】
【図１】撮影システムの設置例を示す図である。
【図２】撮影システムとユーザを示す俯瞰図である。
【図３】管理サーバの構成例を示すブロック図である。
【図４】公共カメラの構成例を示すブロック図である。
【図５】ユーザ端末の構成例を示すブロック図である。
【図６】ユーザと撮影システムの処理フローとシーケンスを示す図である。
【図７】ユーザ端末における表示例を示す図である。
【図８】ユーザと撮影システムの処理フローとシーケンスを示す図である。
【図９】ユーザ端末における表示例を示す図である。
【発明を実施するための形態】
【００１０】
（第１の実施形態）
図１は、本発明の第１の実施形態による撮影システムの設置例を示す図である。撮影システムは、公園や史跡などの観光地や、遊園地や動物園などのテーマパーク内の撮影スポットに、公共カメラ１ａ〜１ｃを設置する。公共カメラ１ａ〜１ｃは、撮影スポットに設置される。ユーザ２ａ〜２ｆは、スマートフォンなどのユーザ端末を所持する。ユーザ２ａおよび２ｂは、自らのユーザ端末を介して公共カメラ１ａを制御し、撮影を行う。ユーザ２ｃおよび２ｄは、自らのユーザ端末を介して公共カメラ１ｂを制御し、撮影を行う。ユーザ２ｅおよび２ｆは、自らのユーザ端末を介して公共カメラ１ｃを制御し、撮影を行う。撮影後、ユーザ２ａ〜２ｆは、公共カメラ１ａ〜１ｃにて撮影されたデータを記憶する管理サーバより、通信を介して自らのユーザ端末へダウンロードすることで取得することができる。
【００１１】
図２は、撮影システムとユーザの俯瞰図である。撮影システムは、公共カメラ１と、ユーザ端末２０と、通信網４０と、管理サーバ５０とを有する。公共カメラ１は、撮影装置である。ユーザ２は、図１のユーザ２ａ〜２ｆに対応し、スマートフォンなどのユーザ端末２０を所持している。公共カメラ１は、図１の公共カメラ１ａ〜１ｃに対応し、撮影機能を有する。管理サーバ５０は、撮影システムを管理する。公共カメラ１は、有線ネットワーク６０を介して、管理サーバ５０に接続される。管理サーバ５０は、公共カメラ１に対して撮影を指示したり、公共カメラ１により撮影された画像データを取得する。撮影区域１１は、公共カメラ１により被写体として撮影される領域である。ユーザ２は、公共カメラ１を使用したい場合、自己が所持するユーザ端末２０を使用する。ユーザ端末２０は、ユーザ２の指示により、無線ネットワーク４０および優先ネットワーク６０を経由して、管理サーバ５０と通信を行うことで、公共カメラ１による撮影を指示する。すると、管理サーバ５０は、公共カメラ１に対して撮影を指示する。すると、公共カメラ１は、撮影区域１１の撮影を行う。管理サーバ５０は、公共カメラ１により撮影された画像データを取得する。ユーザ端末２０は、ユーザ２の指示により、所定の条件の下、公共カメラ１により撮影された画像データを、管理サーバ５０から取得する。
【００１２】
図３は、管理サーバ５０の構成例を示すブロック図である。管理サーバ５０は、通信部１０１と、システム制御部１０２と、メモリ１０３と、記憶媒体１０４と、入力部１０５とを有する。通信部１０１は、公共カメラ１およびユーザ端末２０に対して、画像データ、カメラ制御命令、位置情報の通信を行う。通信部１０１は、例えばＥｔｈｅｒｎｅｔの通信部である。通信部１０１は、管理サーバ５０の設置場所や構成に応じて、ワイヤレスＬＡＮ、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、モデムなどの通信部でもよい。また、通信部１０１は、上記の複数の通信部を搭載してもよい。
【００１３】
システム制御部１０２は、プロセッサを有し、記憶媒体１０４に記憶されているプログラムをメモリ１０３に展開し、その展開されたプログラムを実行する。システム制御部１０２は、管理サーバ５０の動作全体を制御する。メモリ１０３は、システムメモリであり、ＲＡＭが用いられる。メモリ１０３は、システム制御部１０２の動作用の定数、変数、管理情報、およびプログラム等を記憶する。記憶媒体１０４は、不揮発性かつ記憶・消去可能な媒体であり、例えばフラッシュメモリやＨＤＤ（Ｈａｒｄ Ｄｉｓｋ Ｄｒｉｖｅ）等が用いられる。記憶媒体１０４は、システム制御部１０２の動作用の定数、管理情報、プログラム等を記憶する。プログラムは、後述する図６のシーケンスを実行するためのプログラムである。また、記憶媒体１０４は、後述する撮影データ取得不可区域情報を記憶する。
【００１４】
入力部１０５は、管理サーバ５０に対して、指示および設定等を行うための入力部である。入力部１０５は、後述する撮影データ取得不可区域の設定や、撮影許可区域の設定を行うことができる。上記の設定の方法は、入力部１０５だけに限定されるものではない。例えば、通信部１０１に接続された通信機器により、設定することも可能である。なお、管理サーバ５０の構成は、一例であり、例えばシステム制御部１０２がメモリ１０３を含んでいてもよい。
【００１５】
図４は、公共カメラ１の構成例を示すブロック図である。公共カメラ１は、通信部２０１と、システム制御部２０２と、メモリ２０３と、記憶媒体２０４と、カメラ部２０５と、位置検出部２０８とを有する。通信部２０１は、管理サーバ５０およびユーザ端末２０に対して、画像データ、カメラ制御命令、位置情報の通信を行う。通信部２０１は、例えばＥｔｈｅｒｎｅｔの通信部である。通信部２０１は、公共カメラ１の設置場所や構成に応じて、ワイヤレスＬＡＮ、ＵＳＢ、ＨＤＭＩ、モデムなどの通信部でもよく、これらの複数の通信部を搭載していてもよい。
【００１６】
システム制御部２０２は、プロセッサを有し、記憶媒体２０４に記憶されているプログラムをメモリ２０３に展開し、その展開されたプログラムを実行する。システム制御部２０２は、公共カメラ１の動作全体を制御する。メモリ２０３は、システムメモリであり、ＲＡＭが用いられる。メモリ２０３は、システム制御部２０２の動作用の定数、変数、管理情報、およびプログラム等を記憶する。記憶媒体２０４は、電気的に消去・記録可能なメモリであり、例えばフラッシュメモリ等が用いられる。記憶媒体２０４は、システム制御部２０２の動作用の定数、管理情報、プログラム等を記憶する。プログラムは、後述する図６のシーケンスを実行するためのプログラムである。
【００１７】
カメラ部２０５は、レンズユニット、撮影ユニット、画像処理ユニット等を有し、システム制御部２０２からの制御によって撮影や画角変更等を行う。位置検出部２０８は、ＧＰＳ（Ｇｌｏｂａｌ  Ｐｏｓｉｔｉｏｎｉｎｇ  Ｓｙｓｔｅｍ）、近距離無線通信、地磁気センサ、ジャイロ情報等を用いて、公共カメラ１の位置および撮影方向を検出する。また、位置検出部２０８は、カメラ部２０５の制御情報を基に撮影画角を演算し、カメラ部１０５の位置および撮影方向の情報と共に、撮影画角を撮影区域を特定するための情報として、管理サーバ５０へ送信する。なお、公共カメラ１の構成は、一例である。例えば、システム制御部２０２がメモリ２０３を含んでいてもよいし、位置検出部２０８が通信部２０１に含まれていてもよい。
【００１８】
図５は、ユーザ端末２０の構成例を示すブロック図である。ユーザ端末２０は、スマートフォンまたはタブレット等のユーザが携帯可能な通信端末である。ユーザ端末２０は、通信部３０１と、システム制御部３０２と、メモリ３０３と、記憶媒体３０４と、端末カメラ部３０５と、表示部３０６と、入力部３０７と、位置検出部３０８とを有する。
【００１９】
通信部３０１は、管理サーバ５０および公共カメラ１に対して、画像データ、カメラ制御命令、位置情報の通信を行う。通信部３０１は、例えば無線ＬＡＮの通信部である。通信部３０１は、ＥｔｈｅｒｎｅｔまたはＵＳＢの通信部でもよく、これらの複数の通信部を搭載していてもよい。
【００２０】
システム制御部３０２は、プロセッサを有し、記憶媒体３０４に記憶されているプログラムをメモリ３０３に展開し、その展開されたプログラムを実行する。システム制御部３０２は、ユーザ端末２０の動作全体を制御する。メモリ３０３は、システムメモリであり、ＲＡＭが用いられる。メモリ３０３は、システム制御部３０２の動作用の定数、変数、管理情報、およびプログラム等を記憶する。記憶媒体３０４は、電気的に消去・記録可能なメモリであり、例えばフラッシュメモリ等が用いられる。記憶媒体３０４は、システム制御部３０２の動作用の定数、管理情報、プログラム等を記憶する。プログラムは、後述する図６のシーケンスを実行するためのプログラムである。
【００２１】
端末カメラ部３０５は、レンズユニット、撮影ユニット、画像処理ユニット等を有し、システム制御部３０２からの制御によって撮影や画角変更等を行う。表示部３０６は、ライブビュー、撮影画像、各種情報等を表示する表示画面である。表示部３０６は、タッチパネル（液晶パネル）の表示部と、タッチパッドの位置入力可能な操作部とを組み合わせた電子部品であってもよい。
【００２２】
入力部３０７は、ユーザが撮影システムの利用時に行うユーザ指示を入力するためのインタフェースである。入力部３０７は、上述した表示部３０６と組み合わせたタッチパネルとタッチパッドの電子部品、文字入力ボタン、指示決定ボタン等の物理ボタン、またはこれらの組み合わせであってもよい。位置検出部３０８は、ＧＰＳや近距離無線通信等を用いて、自己のユーザ端末２０の位置を検出する。なお、ユーザ端末２０の構成は、一例である。例えば、システム制御部３０２がメモリ３０３を含んでいてもよく、位置検出部３０８が通信部３０１に含まれていてもよい。
【００２３】
図６は、ユーザ２と撮影システムの処理フローとシーケンスを示す図である。撮影システムは、管理サーバ５０、公共カメラ１、ユーザ端末２０を有する。管理サーバ５０、公共カメラ１およびユーザ端末２０は、それぞれ、システム制御部１０２、システム制御部２０２およびシステム制御部３０２により処理する。
【００２４】
まず、管理サーバ５０は、撮影データ取得不可区域を設定する。撮影データ取得不可区域は、ユーザ端末２０が撮影データ（画像データ）を取得することができない区域である。ユーザ端末２０は、撮影データ取得不可区域内に位置する場合、撮影データを取得することができない。管理サーバ５０は、入力部１０５により、撮影データ取得不可区域を設定することができる。なお、管理サーバ５０は、通信部１０１に接続された通信機器等により、撮影データ取得不可区域を設定してもよい。撮影データ取得不可区域は、ユーザ端末２０の位置検出部３０８により検出された位置に応じて、設定する必要がある。位置検出部３０８は、ＧＰＳまたは近距離無線通信等を利用することができる。ＧＰＳでは、緯度経度情報の設定が必要である。また、近距離無線通信では、管理サーバ５０は、位置検出部３０８の電波受信強度により判断するための閾値情報が必要である。管理サーバ５０は、ユーザ端末２０の位置検出部３０８により検出された位置に応じて、入力部１０５により撮影データ取得不可区域を設定する。
【００２５】
まず、ステップＳ６０１では、ユーザ２は、ユーザ端末２０を操作して、管理サーバ５０に対してログイン操作を行う。次に、ステップＳ６０２では、ユーザ端末２０は、そのログイン操作を受け付け、管理サーバ５０に対して、ログインのリクエストをユーザ情報と共に送信する。次に、ステップＳ６０３では、管理サーバ５０は、ログインのリクエストを受け付け、ユーザ情報と登録情報を照合する。次に、ステップＳ６０４では、管理サーバ５０は、照合結果を基にログインの成否を判定する。
【００２６】
ステップＳ６０５では、管理サーバ５０は、ログインの失敗の場合には図７（ａ）の画面８０１の情報をユーザ端末２０に送信し、ステップＳ６０６に進む。ステップＳ６０６では、ユーザ端末２０は、図７（ａ）のログイン操作が失敗した旨を示す画面８０１を表示部３０６に表示する。画面８０１は、ログイン操作に失敗した際の画面例であり、ユーザ２に対してログインが失敗した旨と以降の操作ガイドを表示している。ステップＳ６０７では、ユーザ２は、ユーザ端末２０により、ボタン８０２により再度ログインを実施するか、ボタン８０３により操作を終了するか選択する。ボタン８０２は、画面８０１の表示前の画面に戻るためのボタンである。再度ログインを実施する際には、ユーザ２がボタン８０２を操作すると、ステップＳ６０１に戻り、画面８０１の表示前の画面に遷移する。ボタン８０３は、操作を終了するためのボタンである。ユーザ２がボタン８０３を操作すると、ログイン操作を終了し、図６の処理を終了する。
【００２７】
ステップＳ６０５において、管理サーバ５０は、ログインの成功の場合には図７（ｂ）の画面８１０の情報をユーザ端末２０に送信し、ステップＳ６２０に進む。ステップＳ６２０では、ユーザ端末２０は、図７（ｂ）のログインに成功し公共カメラ１が操作可能となった旨を示す画面８１０を表示部３０６に表示する。画面８１０は、ログイン成功時に表示される画面例である。ユーザ２は、画面８１０に表示されるボタンにより、公共カメラ１を操作することが可能となる。ボタン８１４は、操作終了ボタンである。ステップＳ６２１では、ユーザ２は、ユーザ端末２０により、ボタン８１４を操作することにより、実施中の撮影操作を取り止め、操作を終了する。ユーザ２がボタン８１４を操作しない場合、ステップＳ６２２に進む。
【００２８】
ユーザ２は、画面８１０において、公共カメラ１の撮影設定の変更や撮影スポットの状況確認等を行うことができる。ボタン８１２は、公共カメラ１の撮影に関連する設定変更を実施するためのボタンである。ユーザ２がボタン８１２を操作すると、ユーザ端末２０は、図７（ｄ）に示すように、公共カメラ１の撮影設定変更の画面８２５を表示部３０６に表示する。ユーザ２は、画面８２５に表示されるボタン８２６〜８２８を操作することにより、ボタン８２６〜８２８に表示される設定を変更することが可能である。ボタン８２６は、公共カメラ１のカメラ設定における「明るさ」を操作するボタンである。ユーザ２がボタン８２６を操作すると、ユーザ端末２０は、図７（ｅ）に示すように、詳細な設定を実施する画面８７０を表示する。画面８７０は、公共カメラ１のカメラ部２０５により撮影されている画像を表示する。画面８７０では、「明るさ」を変更することが可能である。ボタン８７１は、マイナス（暗くなる）方向へ明るさを変更することができる。ボタン８７２は、プラス（明るくなる）方向へ明るさを変更することができる。カーソル８７３は、現在の明るさを示す設定指標である。画面８７０では、カーソル８７３がプラス（明るい）方向に設定されていることがわかる。ボタン８７４は、画面８７０における明るさ設定を終了し、図７（ｄ）の画面８２５に戻るボタンである。
【００２９】
画面８２５では、ボタン８２６による「明るさ」の他に、ボタン８２７により「色の濃さ」を変更したり、ボタン８２８により画像の「シャープネス」を変更することができる。ユーザ２は、画面８２５にて指定された撮影設定を変更可能である。本実施形態では、上記の３つの撮影設定（明るさ、色の濃さ、シャープネス）を例として挙げるが、より多くの撮影設定を変更可能にしてもよい。また、公共カメラ１によっては、撮影設定を持たないものも存在してもよい。その場合、画面８１０にて、ボタン８１２が存在しないことにより対応可能となる。
【００３０】
図７（ｂ）のボタン８１３は、公共カメラ１により現在撮影される画像をユーザ端末２０に表示するためのボタンである。管理サーバ５０は、公共カメラ１により撮影されている画像を取得し、その画像をユーザ端末２０に表示させる。ユーザ２がボタン８１３を操作することにより、ユーザ端末２０は、図７（ｆ）に示すように、公共カメラ１により現在撮影されている画像（ライブ画像）の画面８３０を表示部３０６に表示する。ユーザ２は、ユーザ端末２０にて公共カメラ１にて現在撮影されている画像を確認することが可能となる。画面８３０のライブ画像は、公共カメラ１にて撮影した静止画を連続で送信することで実現する擬似的な動画、または映像ストリーミングを利用する動画等であるが、その形式は限定されない。ユーザ２がボタン８３１を操作することにより、図７（ｂ）の画面８１０の操作メニューに戻る。
【００３１】
ステップＳ６２２では、ユーザ２は、ユーザ端末２０により、図７（ｂ）のボタン８１１を操作すると、ステップＳ６２３に進む。ボタン８１１は、撮影操作ボタンである。ユーザ２がボタン８１１を操作すると、ユーザ端末２０は、図７（ｃ）に示すように、公共カメラ１に対して撮影操作を実施する画面８１５を表示部３０６に表示する。画面８１５は、公共カメラ１のカメラ部２０５によって撮影された画像を表示する。ボタン８１６は、画像拡大指示のボタンである。ボタン８１７は、画像縮小指示のボタンである。カーソル８１８は、現在の画像拡大状況を示している。ボタン８１９は、公共カメラ１への撮影リクエストボタンである。ボタン８２０は、画面８１５を終了し、画面８１０に遷移するためのボタンである。ユーザ２がボタン８１９を操作すると、ステップＳ６２３に進む。
【００３２】
ステップＳ６２３では、ユーザ端末２０は、管理サーバ５０に対して、公共カメラ１の撮影実行リクエスト（撮影実行要求）を送信する。ステップＳ６２４では、管理サーバ５０は、管理サーバ５０から撮影実行リクエストを受信すると、公共カメラ１に対して撮影実行コマンド（撮影実行命令）を送信する。ステップＳ６２５では、公共カメラ１は、管理サーバ５０から撮影実行コマンドを受信すると、画像の撮影を実行し、撮影した撮影データ（画像データ）を、通信部２０１を介して、管理サーバ５０に送信する。ステップＳ６２６では、管理サーバ５０は、通信部１０１を介して、公共カメラ１から受信した撮影データを記憶媒体１０４に記録する。また、管理サーバ５０は、ユーザ２が撮影した画像を簡易確認できるように、通信部１０１を介して、ユーザ端末２０に対して、撮影データ内のサムネイルに該当するデータ部分をユーザ端末２０に送信する。
【００３３】
ステップＳ６２７では、ユーザ端末２０は、図７（ｇ）に示すように、管理サーバ５０から受信したサムネイルの画面８４０を表示部３０６に表示する。画面８４０は、管理サーバ５０から受信したサムネイル確認画面である。ステップＳ６２８では、ユーザ２は、撮影画像の画面８４０を確認する。ステップＳ６２９では、ユーザ２は、画面８４０を参照し、撮り直しを実施するか否かを決定する。ボタン８４１は、撮り直し要求ボタンである。ユーザ２がボタン８４１を操作すると、再度撮影操作を実施するため、ステップＳ６２２に戻る。ボタン８４２は、撮影終了ボタンである。ユーザ２が画面８４０にて撮影データを確認し、問題ないと判断した場合、ボタン８４２を操作すると、撮影を終了し、ステップＳ６４０に進む。
【００３４】
ステップＳ６４０では、ユーザ端末２０は、撮影終了のボタン８４２の操作を検出すると、位置検出部３０８により検出されたユーザ端末２０の現在位置を取得し、通信部３０１を介して管理サーバ５０に対して、ユーザ端末２０の現在位置を送信する。ステップＳ６４１では、管理サーバ５０は、ユーザ端末２０から通信部１０１を介して、ユーザ端末２０の現在位置を受信する。
【００３５】
ステップＳ６４２では、管理サーバ５０は、ユーザ端末２０の現在位置が記憶媒体１０４に記憶されている撮影データ取得不可区域内であるか否かを判定する。管理サーバ５０は、ユーザ端末２０の現在位置が撮影データ取得不可区域内であると判定した場合には、撮影データ取得不可区域内である旨をユーザ端末２０に送信し、ステップＳ６４３に進む。
【００３６】
ステップＳ６４３では、ユーザ端末２０は、図７（ｈ）に示すように、撮影データ取得不可区域内である旨を示す画面８５０を表示部３０６に表示する。画面８５０は、撮影データ取得不可表示の画面である。メッセージ表示８５１には、撮影データを取得するためにはユーザ端末２０を撮影データ取得不可区域外に移動させなければならない旨が記載されている。簡易範囲表示８５２は、撮影データ取得不可区域を抽象的に表現した範囲表示である。管理サーバ５０は、記憶媒体１０４に記憶されている撮影データ取得不可区域情報より簡易範囲表示８５２を生成し、簡易範囲表示８５２をユーザ端末２０に表示させる。簡易範囲表示８５２は、ユーザ２にどちらに進めば素早く撮影データ取得不可区域外に出ることが可能かを指し示す指標であり、円形や短冊形など簡易化した表現にて表示可能である。簡易範囲表示８５２は、より詳細な地形図などでも表現可能である。カーソル８５３は、ユーザ端末２０が撮影データ取得不可区域内のどのあたりに存在するかを指し示すカーソルである。管理サーバ５０は、ユーザ端末２０の現在位置を受信しており、先の簡易範囲表示８５２内のどの位置にユーザ端末２０が存在するのかを算出可能である。方位表示８５４は、簡易範囲表示８５２における方位情報を示している。画面８５０では、画面奥方向が北側であり、ユーザ２が撮影地域の方位情報を認識している場合、撮影データ取得不可区域から出るためには、どちらに移動すればよいかを判断する材料となる。図７（ｈ）では、ユーザ端末２０の現在位置は、撮影データ取得不可区域内の西よりであることが分かり、ユーザ２は西側に移動することにより比較的容易に撮影データ取得不可区域から脱することが可能であることが分かる。
【００３７】
ステップＳ６４４では、ユーザ２は、画面８５０を確認しながら、撮影データ取得不可区域から出るために移動を行うと、ステップＳ６４０に戻る。ステップＳ６４０では、ユーザ端末２０は、ユーザ２と共に移動し、再度ユーザ端末２０の現在位置を取得して管理サーバ５０に送信し、ステップＳ６４１に進む。
【００３８】
ステップＳ６４２において、管理サーバ５０は、ユーザ端末２０の現在位置が撮影データ取得不可区域外であると判定すると、ステップＳ６４５に進む。ステップＳ６４５では、管理サーバ５０は、公共カメラ１により撮影された画像データと、画像受信表示指示とをユーザ端末２０に送信する。
【００３９】
ステップＳ６４６では、ユーザ端末２０は、管理サーバ５０から画像データと画像受信表示指示を受信すると、図７（ｉ）に示すように、画像受信完了を示す画面８６０を表示部３０６に表示する。画面８６０は、画像データの取得が完了したことをユーザ２に通知する画面である。メッセージ表示８６１には、撮影データの取得が完了した旨が表示されている。ユーザがボタン８６３を操作すると、ユーザ端末２０は、図６の処理を終了する。ボタン８６２は、取得が完了した撮影データを閲覧するためのボタンである。ユーザ端末２０は、ユーザ２がボタン８６２を操作すると、管理サーバ５０から受信した画像データに再生処理を施し、図７（ｊ）に示すように、再生画像データの画面８６５を表示部３０６に表示する。ステップＳ６４７では、ユーザ２は、画面８６５により、撮影データを確認することが可能となる。ユーザ２がボタン８６６を操作すると、ユーザ端末２０は、画面８６５を終了し、画面８６０の表示に戻る。
【００４０】
以上のように、本実施形態では、ユーザが撮影データ取得不可区域内で画像データを取得することを不可とすることで、撮影後にユーザが撮影データの確認行為で、その場に留まることを抑止することができる。ユーザが撮影後に速やかに撮影スポットから立ち去るため、他の撮影を希望するユーザが撮影スポットを効率よく活用することが可能となる。
【００４１】
（第２の実施形態）
図８は、本発明の第２の実施形態によるユーザ２と本撮影システムの処理フローとシーケンスを示す図である。以下、本実施形態が第１の実施形態と異なる点を説明する。まず、管理サーバ５０は、撮影許可区域および撮影データ取得不可区域を設定する。撮影許可区域は、撮影が許可されている区域である。ユーザ端末２０が撮影許可区域内に位置するときのみ、ユーザ２による撮影操作が実施できる。また、撮影データ取得不可区域は、撮影データを取得することができない区域である。ユーザ端末２０が撮影データ取得不可区域内に位置する場合、撮影データの取得が不可である。管理サーバ５０は、撮影データ取得不可区域と同様の方法により、撮影許可区域を設定することができる。
【００４２】
まず、ステップＳ７０１では、ユーザ２は、ユーザ端末２０を操作して、ログイン操作を行う。撮影システムは、ステップＳ７０１〜Ｓ７０７の処理を行う。ステップＳ７０１〜Ｓ７０７の処理は、それぞれ、図６のステップＳ６０１〜Ｓ６０７の処理と同様であるので、説明を省略する。
【００４３】
ステップＳ７０５において、管理サーバ５０は、ログインの成功の場合には、ステップＳ７２０に進む。ステップＳ７２０では、管理サーバ５０は、ユーザ端末２０に対して、記憶媒体１０４に記憶されている撮影許可区域および撮影データ取得不可区域の情報を送信する。ステップＳ７２１では、ユーザ端末２０は、管理サーバ５０から受信した撮影許可区域、よび撮影データ取得不可区域の情報を記憶媒体３０４に記録する。次に、ステップＳ７２２では、ユーザ端末２０は、位置検出部３０８により検出されたユーザ端末２０の現在位置を取得する。
【００４４】
ステップＳ７２３では、ユーザ端末２０は、ユーザ端末２０の現在位置が撮影許可区域内であるか否かを判定する。ユーザ端末２０は、ユーザ端末２０の現在位置が撮影許可区域内である場合には、ステップＳ７２５に進み、ユーザ端末２０の現在位置が撮影許可区域外である場合には、ステップＳ７２４に進む。
【００４５】
ステップＳ７２４では、ユーザ端末２０は、公共カメラ１の撮影禁止を設定し、ステップＳ７２６に進む。後述するが、ユーザ端末２０は、撮影禁止を設定した場合、公共カメラ１に対して撮影実行リクエストを行うことができない。
【００４６】
ステップＳ７２５では、ユーザ端末２０は、公共カメラ１の撮影許可を設定し、ステップＳ７２６に進む。後述するが、ユーザ端末２０は、撮影許可を設定した場合、公共カメラ１に対して撮影実行リクエストを行うことができる。
【００４７】
ステップＳ７２６では、ユーザ端末２０は、上記で撮影許可を設定した場合には図９（ａ）の画面９１０を表示し、上記で撮影禁止を設定した場合には図９（ｂ）の画面９１５を表示する。ユーザ端末２０は、撮影許可を設定した場合、図９（ａ）に示すように、ログインに成功して公共カメラ１を操作可能となった旨の画面９１０を表示部３０６に表示する。画面９１０は、操作メニューの画面であり、ボタン９１１〜９１４を内包する。ボタン９１１〜９１４は、図７（ｂ）の画面８１０におけるボタン８１１〜８１４と同じであり、その処理は第１の実施形態と同じである。
【００４８】
ユーザ端末２０は、撮影禁止を設定した場合、図９（ｂ）に示すように、ログインに成功して公共カメラ１を操作可能となった旨の画面９１５を表示部３０６に表示する。画面９１５は、画面９１０に対して、ボタン９１１の代わりにボタン９１６が設けられる。ボタン９１６は、撮影操作不可を示す表示となっている。
【００４９】
画面９１０または９１５のボタン９１４は、操作終了ボタンである。ステップＳ７２７では、ユーザ２がボタン９１４を操作すると、ユーザ端末２０は、画面９１０または９１５の表示を終了し、図８の処理を終了する。ステップＳ７２７において、ユーザ２がボタン９１４を操作しない場合、ユーザ端末２０は、ステップＳ７２８に進む。
【００５０】
ステップＳ７２８では、ユーザ端末２０は、上記で撮影禁止および撮影許可のいずれを設定したかを判定する。ユーザ端末２０は、撮影禁止を設定した場合には、ステップＳ７２２に戻り、ユーザ２によりユーザ端末２０が撮影許可区域の内側に持ち込まれるまで待つ。また、ユーザ端末２０は、撮影許可を設定した場合には、ステップＳ７４０に進む。
【００５１】
ステップＳ７４０では、ユーザ２は、ユーザ端末２０を用いて、ボタン９１１を操作する。すると、撮影システムは、ステップＳ７４１〜Ｓ７４７の処理を行う。ステップＳ７４１〜Ｓ７４７の処理は、それぞれ、図６のステップＳ６２３〜Ｓ６２９の処理と同じであるので、説明を省略する。
【００５２】
ステップＳ７４７では、ユーザ２は、ユーザ端末２０を用いて、図７（ｅ）の画面８４０において、公共カメラ１により撮影された画像のサムネイルを確認し、ボタン８４１を操作すると、ステップＳ７４０に戻り、再度撮影を実施することが可能となる。また、画面８４０において、ユーザ２がボタン８４２を操作すると、ユーザ端末２０は、ステップＳ７４８に進む。
【００５３】
ステップＳ７４８では、ユーザ端末２０は、位置検出部３０８により検出されたユーザ端末２０の現在位置を取得する。ステップＳ７４９では、ユーザ端末２０は、ユーザ端末２０の現在位置が撮影データ取得不可区域内であるか否かを判定する。ユーザ端末２０は、ユーザ端末２０の現在位置が撮影データ取得不可区域内である場合には、ステップＳ７５０に進む。ステップＳ７５０では、ユーザ端末２０は、図７（ｈ）に示すように、撮影データ取得不可区域内であることを示す画面８５０を表示部３０６に表示する。ステップＳ７５１では、ユーザ２がユーザ端末２０と共に移動すると、ステップＳ７４８に戻る。
【００５４】
ステップＳ７４９において、ユーザ端末２０は、ユーザ端末２０の現在位置が撮影データ取得不可区域外である場合には、ステップＳ７５２に進む。ステップＳ７５２では、ユーザ端末２０は、公共カメラ１により撮影された画像データの取得要求を管理サーバ５０に送信する。
【００５５】
ステップＳ７５３では、管理サーバ５０は、ユーザ端末２０から画像データの取得要求を受信した場合には、公共カメラ１により撮影された画像データをユーザ端末２０に送信する。ステップＳ７５４では、ユーザ端末２０は、管理サーバ５０から画像データを受信し、図７（ｉ）に示すように、画像受信完了の画面８６０を表示部３０６に表示する。画面８６０は、第１の実施形態と同じであるので、説明を省略する。
【００５６】
ステップＳ７５５では、ユーザ端末２０は、ユーザ２がボタン８６２を操作すると、管理サーバ５０から受信した画像データに再生処理を施し、図７（ｊ）に示すように、再生画像の画面８６５を表示部３０６に表示する。また、ユーザ２がボタン８６３を操作すると、ユーザ端末２０は、図８の処理を終了する。
【００５７】
以上のように、本実施形態では、撮影許可区域内にユーザ端末が存在する場合のみ、撮影が実施可能となる。また、ユーザ端末が、ユーザが撮影データ取得不可区域内で画像データを取得することができるか否かを判定することで、撮影後にユーザが撮影データの確認行為でその場に留まることを抑止することができる。ユーザが撮影後に速やかに撮影スポットから立ち去るため、他の撮影を希望するユーザが撮影スポットを効率よく活用することが可能となる。
【００５８】
第１および第２の実施形態によれば、撮影スポットとして設定されている区域を撮影データ取得不可区域に設定することができる。ユーザが所持するユーザ端末の位置が撮影データ取得不可区域外である場合に、管理サーバは、撮影データをユーザ端末に送信する。これにより、撮影実施者が撮影スポットに留まることが抑止され、公共カメラの使用権と撮影スポットが速やかに解放されることとなる。そのため、撮影地点の混雑を避けることができ、撮影地点では効率よく撮影を行うことができる。
【００５９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００６０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６１】
１  公共カメラ、２  ユーザ、１１  撮影区域、２０  ユーザ端末、４０  通信網、５０   管理サーバ、１０１  通信部、１０２  システム制御部、２０１  通信部、２０２  システム制御部、２０５  カメラ部、２０８  位置検出部、３０１  通信部、３０２  システム制御部、３０６  表示部、３０７  入力部、３０８  位置検出部
【図１】
2019161593.tif 000003
【図２】
2019161593.tif 000004
【図３】
2019161593.tif 000005
【図４】
2019161593.tif 000006
【図５】
2019161593.tif 000007
【図６】
2019161593.tif 000008
【図７】
2019161593.tif 000009
【図８】
2019161593.tif 000010
【図９】
2019161593.tif 000011